(57)【要約】      （修正有）【課題】微細な魚のアタリを認知できるようにしたウキ仕掛けで、難しいウキ制作を簡単にし、力の弱い魚のアタリに合わせた調整や、波風によるウキの機能喪失を、釣り人が状況に合わせた調節を可能とするウキ仕掛けを提供する。【解決手段】浮力のある材質のウキ９の下部４に取り付けられた糸５に錘６を設置することで、ウキ下部４を下に向かせる。ウキ上部３とウキ下部４はそれぞれ異なる色を着色する。ハリ１に魚がかかると、ウキ上部３が下へ引っ張られ、ウキ９が回転８することで、ウキ下部４が喫水線１１より上に露出し、釣り人はウキ下部４に着色された色が多く見える状態になり、微細なアタリを認知することができる。さらに、錘６を交換又は追加することで、より弱い力の魚の微細なアタリを認知できるようにしたり、波や風、潮の影響により、ウキの機能喪失やアタリ誤認するウキ回転８を、最小限にする調整が可能となる。【選択図】図２
2018074989.tif 000002
【特許請求の範囲】
【請求項１】
浮力のあるウキ９とそのウキ上部３にハリ１のついた糸２を取り付け、そのウキ下部４に錘６がついた糸５を取り付けて、ウキ下部４が下を向く構造となり、ウキ９の外面上部３と下部４とで色分けした釣り用のウキ仕掛け。
【発明の詳細な説明】
【技術分野】
【０００１】本発明は、釣り用のウキ仕掛けに関する。また、魚のアタリを、ウキの色の変化で見分けることができるウキ仕掛けに関する。
【背景技術】
【０００２】従来の釣り用ウキは、ウキ本体が海中に沈む、又は左右に動くことで魚のアタリを認知するが、波の影響や力の弱い魚の微細なアタリを認知することが難しかった。【０００３】また、色の変化でアタリを認知するウキはあるが、ウキ自体に錘を設置するため、制作上の難易度が高い。【０００４】さらに、ウキ自体に錘がある場合、魚の大きさに適応した錘に変更ができないため、錘によってはアタリが認知できず、対象魚が限定されてしまう。同様に錘によっては、風や波の影響を受け、色の変化によるウキアタリを認知させる機能が喪失してしまう。
【先行技術文献】
【０００５】
【特許文献１】特開２００３−３３９２８６
【特許文献２】特開２０１１−２３９７６０
【特許文献３】特開２００３−２３９３８
【発明の概要】
【発明が解決しようとする課題】
【０００６】本発明の目的は、釣りにおける微細なウキのアタリを安定して認知できるウキ仕掛け構造を提供することにある。さらに、ウキ制作を簡単にすることと、錘を調節することで対象魚を変更することを可能とすること、波や風による影響でアタリ認知機能の喪失を防ぐ。
【課題を解決するための手段】
【０００７】ハリ１がついた糸２をウキ上部３に取り付け、錘６のついた道糸５をウキ下部４に取り付ける仕掛けにより実現する。
【発明の効果】
【０００８】ウキ上部３から取り付けられた糸２の先端の針１に魚７がかかり、魚７に引っ張られることで、ウキ９が回転８し、ウキ下部４の色が海面に出ることで、微細なアタリを認知することができる。【０００９】ウキ９自体に錘は設置しないため、複雑なウキ制作をする必要がない。【００１０】ウキ下部４に取り付けられた糸５にある錘６を交換することで、力の弱い魚でもウキ９を回転８させることができる。これにより、釣り場で釣れている魚のサイズにウキ仕掛けを合わせることが可能となり、対象魚の幅が広がる。また、ウキ下部４が下を向かない場合でも、ウキ下部４に取り付けられた糸５に錘を追加又は交換することで、下を向かせる調整が可能となる。
【図面の簡単な説明】
【００１１】
【図１】ウキ仕掛け投入後、魚のアタリ待ちの状態
【図２】ウキ仕掛けに魚がかかり、ウキにアタリが出ている状態
【発明を実施するための形態】
【００１２】本発明のウキ仕掛け構造は、ハリ１のついた糸２をウキ上部３に取り付け、そのウキ９の表面は、上部３と下部４で色が異なる。ウキ９の形状は球体が望ましいが、球体に近い楕円球体やそれに近い多面体でも可能である。そのウキ下部４に取り付けられた道糸５とその道糸５にウキを下へ引っ張らせるための錘６がついており、これらによって、ウキ仕掛けは構成される。
【００１３】図１により、ウキ仕掛け投入時は、ウキ下部４に取り付けられた糸５にある錘６により、ウキ下部４が下に引っ張られる。ウキ下部４が下を向き、ウキ上部３が上を向くことになる。これにより、釣り人からはウキ上部３の色の面積が多く見える。これが魚のアタリを待っている状態である。
【００１４】図２により、ウキ上部３に取り付けられた糸２の先端にあるハリ１に魚７が食いつき、動くことでウキ上部３が下方へ引っ張られ、ウキが回転８することになる。これにより、ウキ下部４表面の色の面積が多く露出することで、釣り人がアタリを認知することができる。
【００１５】魚７がハリ１にかかっても、魚７の力が弱く、ウキ上部３を下へ引っ張ることができない場合は、錘６を軽いものに交換し、弱い魚の力でもウキ９が回転８をするように調節する。
【００１６】ウキ９は浮力を有するもので、ウキ下部４を下に向ける能力は必要ないが、有していても問題はないがないほうが望ましい。ウキに錘がある場合は、その錘以下の重量調整が不可能となるためである。ウキ下部４に取り付けられた道糸５に、ウキ下部４を引っ張らせるための錘６を設置することで、ウキ下部４を下に向けさせる。波や風、潮の影響により、ウキ下部４が下を向かない場合は、錘６を交換又は追加をすることで、下を向くように調整をする。
【００１７】ウキ上部３と下部４に糸２糸５を取り付けることになるが、ウキ９が糸に固定されるならば、方法は問わない。金具であってもよいし、糸２と糸５が繋がっていて、それがウキ９の中通しであっても、ウキ９が糸に固定されるなら、どのような方法であってもよい。
【００１８】ウキ上部３と下部４の外面を異なる色にする必要がある。その方法はウキ９の中心１０を境目にすることが望ましいが、境目を喫水線１１であってもよい。また、境目１０自体を、第３の色で帯状に着色しても良い。ウキ９がアタリにより反転８した時に、釣り人にアタリを認知させる十分な面積の着色したウキ下部４があればよい。
【００１９】これにより、ウキ９自体は至って単純なものであり、ウキ９単体で自立させるためのウキ工作は不要となる。
【００２０】糸５に設置される錘６の位置は決まったものはない。よって、糸５と糸１２が同一の糸であっても、当発明は成立する。
【００２１】糸１２は釣り竿に繋がっている。糸１２に、浮力のある別の仕掛けがあっても良い。第二のウキや浮力を付与したカゴ等と組み合わせることも可能である。
【００２２】錘６は、ウキ下部４を下へ引っ張る能力を有するものであれば、材質や形状などは問わない。
【００２３】ウキ９は、浮力を有するもので、糸２と糸５を固定でき、着色できるものであれば、材質は問わない。
【００２４】以上のような仕掛けにより、波風の影響や力の弱い魚の微細なアタリを認知することができ、更に釣り場の状況や対象魚によって錘６を変化させることで対応が可能となる。これにより、魚のアタリ認知が増えることで、釣り人へ豊かな釣りを提供をることができる。
【符号の説明】
【００２５】１  ハリ    ２  糸    ３  ウキ上部    ４  ウキ下部    ５  糸    ６  重り
９  ウキ    １０  境目    １１  喫水線    １２  糸
【図１】
2018074989.tif 000003
【図２】
2018074989.tif 000004